【事件の表示】
　特許第６８１０１０６号発明「客室ＬＥＤ管型カメラシステム、それを利用した旅客室用照明・監視システム」の特許異議申立事件について、次のとおり決定する。
【結　論】
　特許第６８１０１０６号の請求項１ないし１２に係る特許を維持する。
【理　由】
第１　手続の経緯
　特許第６８１０１０６号の請求項１〜１２に係る特許についての出願は、平成３０年８月４日に出願され、令和２年１２月１４日にその特許権の設定登録がされ、令和３年１月６日に特許掲載公報が発行された。その後、その特許の請求項１〜１２について、同年６月２４日に特許異議申立人有限会社ヒロサポート（以下「申立人」という。）により特許異議の申立てがされたものである。
第２　本件発明
　本件の請求項１〜１２に係る発明（以下「本件発明１」〜「本件発明１２」という。）は、本件特許の願書に添付した特許請求の範囲の請求項１〜１２に記載された事項により特定される、次のとおりのものである。
「【請求項１】
　　仮想水平軸心の周囲に筒状壁が設けられ、該筒状壁の少なくとも対象旅客室の天井に設置された場合に下がわとなる壁範囲が透光性を有するものとされ、該筒状壁の外周囲が飛散防止膜で被覆されたガラス直管、および、該ガラス直管の内端に同仮想水平軸心上に連続するよう設けられたユニットカバーからなり、該ユニットカバーのガラス直管が設けられた内端とは反対がわとなる外端に設けられ、該仮想水平軸心に平行な電源端子が突設された口金と、該ガラス直管のユニットカバーが設けられた内端とは反対がわとなる外端に設けられ、該仮想水平軸心に平行なダミー端子が突設された口金とを有し、直管型蛍光灯の外郭形状が再現されたランプ外殻が設けられ、該ガラス直管の略全長に渡り、対象旅客室に設置された場合に、下がわを照明するようＬＥＤ発光部が下向き内装され、該ユニットカバーには、電源部、制御回路、撮像部、無線通信部を有した制御ユニットが内装され、該撮像部は、該仮想水平軸心に平行な方向の水平画角が１４０°ないし１８０°、該仮想水平軸心に直交する方向の垂直画角が９０°ないし１８０°の広角レンズを有し、撮像の光軸が、該仮想水平軸心を通る垂線に対して、４０°ないし４５°の傾き角度をもつよう該仮想水平軸心回りの何れか一方に傾けられたカメラが設けられ、該制御回路には、撮像データを読み書き可能なリムーバブルメデイア用のリーダー・ライター部を有するリムーバブルメデイア用スロット、および、該リムーバブルメディア用スロットに装着されたリムーバブルメデイアが設けられたものとしてなることを特徴とする客室ＬＥＤ管型カメラシステム。
【請求項２】
　　仮想水平軸心の周囲に筒状壁が設けられ、該筒状壁の少なくとも対象旅客室の天井に設置された場合に下がわとなる壁範囲が透光性を有するものとされ、該筒状壁の外周囲が飛散防止膜で被覆されたガラス直管、および、該ガラス直管の内端に同仮想水平軸心上に連続するよう設けられたユニットカバーからなり、該ユニットカバーのガラス直管が設けられた内端とは反対がわとなる外端に設けられ、該仮想水平軸心に平行な電源端子が突設された口金と、該ガラス直管のユニットカバーが設けられた内端とは反対がわとなる外端に設けられ、該仮想水平軸心に平行なダミー端子が突設された口金とを有し、直管型蛍光灯の外郭形状が再現されたランプ外殻が設けられ、該ガラス直管の略全長に渡り、対象旅客室に設置された場合に、下がわを照明するようＬＥＤ発光部が下向き内装され、該ユニットカバーには、電源部、制御回路、撮像部、無線通信部を有した制御ユニットが内装され、該撮像部は、該仮想水平軸心に平行な方向の水平画角が１４０°ないし１８０°、該仮想水平軸心に直交する方向の垂直画角が９０°ないし１８０°の広角レンズを有し、撮像の光軸が、該仮想水平軸心を通る垂線に対して、４０°ないし４５°の傾き角度をもつよう該仮想水平軸心回りの何れか一方に傾けられたカメラが設けられ、該制御回路には、撮像データを読み書き可能なリムーバブルメデイア用のリーダー・ライター部を有するリムーバブルメデイア用スロット、および、該リムーバブルメディア用スロットに装着されたリムーバブルメデイアが設けられ、対象旅客室内の天井の対象旅客室幅寸法間の中央から対象旅客室幅寸法方向の何れか一方端寄りに設置され、対象車両進行方向の前後に、一対のソケット部が対峙された直管用照明器具に対して装着された場合に、該撮像部の撮像の光軸の向きが、鉛直下方の床面から、対象旅客室幅寸法間の中央の床面、および、該直管用照明器具が設置されたのとは反対がわとなる対象旅客室幅寸法方向の何れか他方の座席を含み、対象旅客室幅寸法方向の何れか他方となる対象旅客室内側壁の網棚上に至る範囲を含む対象旅客室幅寸法方向の撮像範囲を確保するよう設定されてなるものとされたことを特徴とする客室ＬＥＤ管型カメラシステム。
【請求項３】
　　仮想水平軸心の周囲に筒状壁が設けられ、該筒状壁の少なくとも対象旅客室の天井に設置された場合に下がわとなる壁範囲が透光性を有するものとされ、該筒状壁の外周囲が飛散防止膜で被覆されたガラス直管、および、該ガラス直管の内端に同仮想水平軸心上に連続するよう設けられたユニットカバーからなり、該ユニットカバーのガラス直管が設けられた内端とは反対がわとなる外端に設けられ、該仮想水平軸心を中心とする仮想円と、同仮想水平軸心に直交する仮想径線との２つの交点から、同仮想水平軸心に平行するよう二本の電源端子が外向きに突設された口金と、該ガラス直管のユニットカバーが設けられた内端とは反対がわとなる外端に設けられ、該仮想水平軸心に一致するよう外向きに一本のダミー端子が突設された口金とを有し、直管型蛍光灯の外郭形状が再現されたランプ外殻が設けられ、該ガラス直管の略全長に渡り、該仮想水平軸心および前記二本の電源端子を結ぶ仮想径線が、水平面に一致された場合に、下がわを照明するようＬＥＤ発光部が下向き内装され、該ユニットカバーには、電源部、制御回路、撮像部、無線通信部を有した制御ユニットが内装され、該撮像部は、該仮想水平軸心に平行な方向の水平画角が１４０°ないし１８０°、該仮想水平軸心に直交する方向の垂直画角が９０°ないし１８０°の広角レンズを有し、撮像の光軸が、該仮想水平軸心および前記二本の電源端子を結ぶ仮想径線が、水平面に一致された場合に、該仮想水平軸心を通る垂線に対して、４０°ないし４５°の傾き角度をもつよう該仮想水平軸心回りの何れか一方に傾けられたカメラが設けられ、該制御回路には、撮像データを読み書き可能なリムーバブルメデイア用のリーダー・ライター部を有するリムーバブルメデイア用スロット、および、該リムーバブルメディア用スロットに装着されたリムーバブルメデイアが設けられたものとしてなることを特徴とする客室ＬＥＤ管型カメラシステム。
【請求項４】
　　制御ユニットの電源部が、電源端子がわから順に、保護回路、定電圧電源回路および定電流電源回路を経てＬＥＤ発光部に接続されてなる、請求項１ないし請求項３何れか一記載の客室ＬＥＤ管型カメラシステム。
【請求項５】
　　制御ユニットの電源部が、電源端子がわから順に、保護回路、定電圧電源回路、ＤＣ／ＤＣコンバータおよび緊急用蓄電デバイスを経て制御回路に設けられた中央演算処理装置に接続されてなる、請求項１ないし請求項４何れか一記載の客室ＬＥＤ管型カメラシステム。
【請求項６】
　　制御ユニットの電源部が、電源端子がわから順に、保護回路、定電圧電源回路、ＤＣ／ＤＣコンバータを経て撮像部に接続されてなる、請求項１ないし請求項５何れか一記載の客室ＬＥＤ管型カメラシステム。
【請求項７】
　　制御ユニットの制御回路が中央演算処理装置を有し、該中央演算処理装置が、無線ＬＡＮモジュールおよび無線アンテナを有した無線通信部と接続され、通信可能範囲に設置された客室ＬＥＤ管型カメラシステムの無線通信部、または、無線通信部を備えた通信端末装置の少なくとも何れか一方と通信可能なものとされた、請求項１ないし請求項６何れか一記載の客室ＬＥＤ管型カメラシステム。
【請求項８】
　　制御ユニットの制御回路が中央演算処理装置を有し、ユニットカバーが、該ユニットカバーの下がわ向きとなる外がわに発光部分が露出されたエラー表示ＬＥＤを有し、該中央演算処理装置に対し、エラー表示ＬＥＤが、同エラー表示ＬＥＤの電源スイッチを介して接続され、該中央演算処理装置が、撮像部および無線通信部の正常動作を検知した場合、および、撮像部または無線通信部の少なくとも何れか一方に誤作動を生じた場合の夫々に、エラー表示ＬＥＤの電源スイッチの開閉制御を自動的に行うものとされた、請求項１ないし請求項７何れか一記載の客室ＬＥＤ管型カメラシステム。
【請求項９】
　　制御ユニットの制御回路が中央演算処理装置を有し、該中央演算処理装置が、クロックＩＣ、撮像部、および、リムーバブルメデイア用スロットに装着され、該リムーバブルメデイア用スロットに設けられたリムーバブルメディア用スロットに装着されたリムーバブルメデイアの夫々と通信可能に接続されてなる、請求項１ないし請求項８何れか一記載の客室ＬＥＤ管型カメラシステム。
【請求項１０】
　　ユニットカバーが、該ユニットカバー内に収容された制御ユニットを下がわから覆う下ユニットカバー部、および、該制御ユニットを上がわから覆う上ユニットカバー部が、ネジ結合によって一体化されたものであって、該ネジ結合によって一体に組み合わせられたユニットカバー内に、リムーバブルメデイア用スロット、および、該リムーバブルメデイア用スロットに装着されたリムーバブルメデイアが、ネジの取り外し無しには取り出せないよう収容されてなるものとされた、請求項１ないし請求項９何れか一記載の客室ＬＥＤ管型カメラシステム。
【請求項１１】
　　対象旅客室内天井の対象旅客室幅寸法間の中央から対象旅客室幅寸法方向端寄りとなる双方に計二列、前後に間隔を隔てて複数行の配置に設けられ、各々の対象車両進行方向の前後に、一対のソケット部が対峙された直管用照明器具に対して夫々装着され、互いの無線通信部間でアドホック・モードの無線通信が可能なものとされた、前記請求項１ないし請求項１０の何れか一記載の客室ＬＥＤ管型カメラシステムの複数と、それら互いにアドホック・モードの無線通信が可能とされた複数の客室ＬＥＤ管型カメラシステムの中の少なくとも何れか一つの無線通信部と直接的にか、または、無線通信ネットワークを介して間接的にかの少なくとも何れか一方で無線通信が可能な通信端末装置との組み合わせからなり、該通信端末装置が、少なくとも各客室ＬＥＤ管型カメラシステムのリムーバブルメデイアに蓄積された撮像データを、無線受信可能なものとされてなる、前記請求項１ないし請求項１０の何れか一記載の客室ＬＥＤ管型カメラシステムを利用した旅客室用照明・監視システム。
【請求項１２】
　　対象旅客室内天井の対象旅客室幅寸法間の中央から対象旅客室幅寸法方向端寄りとなる双方に計二列、前後に間隔を隔てて複数行の配置に設けられ、各々の対象車両進行方向の前後に、一対のソケット部が対峙された直管用照明器具に対して夫々装着された、前記請求項１ないし請求項１０の何れか一記載の客室ＬＥＤ管型カメラシステムの複数と、各客室ＬＥＤ管型カメラシステムの無線通信部と直接的にか、または、無線通信ネットワークを介して間接的にかの少なくとも何れか一方でインストラクチャー・モードの無線通信が可能な通信端末装置との組み合わせからなり、該通信端末装置が、少なくとも各客室ＬＥＤ管型カメラシステムのリムーバブルメデイアに蓄積された撮像データを、無線受信可能なものとされてなる、前記請求項１ないし請求項１０の何れか一記載の客室ＬＥＤ管型カメラシステムを利用した旅客室用照明・監視システム。」
第３　特許異議申立理由の概要
　申立人は、主たる証拠として以下の甲第１号証及び従たる証拠として以下の甲第２〜６号証を提出し、請求項１〜１２に係る特許は特許法第２９条第２項の規定に違反してされたものであるから、請求項１〜１２に係る特許を取り消すべきものである旨主張する。
　甲第１号証：特開２０１７−１０７２５号公報
　甲第２号証：特開２０１５−２２０２２２号公報
　甲第３号証：特開２０１８−８１９３６号公報
　甲第４号証：特開２０１７−１５８０４８号公報
　甲第５号証：登録実用新案第３２１４８３２号公報
　甲第６号証：特開２０１２−１１９１号公報
　（以下それぞれ「甲１」〜「甲６」という。）
第４　当審の判断
１　文献の記載事項等
（１）甲１
ア　記載事項
　甲１には、図面とともに次の事項が記載されている（なお、下線は当審で付加した。以下同様。）。
・「【００１７】
　図１は、（ａ）が本発明の実施例１に係るＬＥＤ照明システム１の構成を模式的に示した図であり、（ｂ）が（ａ）に示したＬＥＤ照明装置１０の詳細構成を模式的に示した図である。図２は、図１に示したＬＥＤ照明装置１０の斜視図である。図３は、ＬＥＤ照明装置１０の付加機能部２０周辺を断面視してその構成を模式的に示した図である。図４は、（ａ）が直管状着脱自在部１１の斜視図であり、（ｂ）が（ａ）に示した直管状着脱自在部１１の付加機能部２０周辺を拡大した図である。
　本発明の実施例に係るＬＥＤ照明システム１は、例えば、
電車内に設置されている直管状蛍光管を有する蛍光灯に置き換えてＬＥＤを光源とするＬＥＤ照明装置１０を含む
【００１８】
　このＬＥＤ照明システム１は、無線通信部２４および静止画あるいは動画を撮像する撮像部２１を含む付加機能部２０を備え、かつ、光源となるＬＥＤを光透過部分を含む直管状カバー１２ａの内部に設けたＬＥＤ照明装置１０と、ＬＥＤ照明装置１０と無線通信部２４を介して無線通信可能な携帯端末４０と、を有する。
【００１９】
　まず、ＬＥＤ照明装置１０について説明する。
　
ＬＥＤ照明装置１０は、蛍光管の標準規格に対応した直管状部分であり、かつ、保持部３０に着脱自在に設けた直管状着脱自在部１１と、直管状着脱自在部１１の両端を保持する一対の保持部３０
直流電源等を収容するフード部１４
【００２０】
　
直管状着脱自在部１１は、
光源となる
ＬＥＤを光透過部分を含む直管状カバー１２ａの内部に設けた直管状照明部１２と、直管状着脱自在部１１の一端側に直管状照明部１２と一体的に設けた付加機能部２０と、一対の保持部３０によって保持される部分となる一対の被保持部１３と、を有する
【００２１】
　直管状照明部１２は、長手方向に沿って複数のＬＥＤを不図示の回路基板上に配置し、ＬＥＤから出射した光を直管状カバー１２ａから外部に出射する部分である。」
・「【００２３】
　
付加機能部２０は、
撮像データ
を取得する撮像部２１と、音声データを取得するマイク部２２と、ランプ部２８と、記憶部２３と、携帯端末４０との無線通信を可能にする無線通信部２４と、ＬＥＤ照明装置１０の各駆動部を制御する制御部２５と、撮像部２１、
記憶部２３、無線通信部２４、および、制御部２５を内部に収容する直管状のカバー部２６と、を有する
【００２４】
　
撮像部２１は、カメラ機能をなす部分であり、レンズ２１ａと、
イメージセンサ２１ｂと、を有する
【００２５】
　ランプ部２８は、例えば、ＬＥＤによって実現し、撮像部２１の駆動と連動して発光するものでる。すなわち、ＬＥＤ照明装置１０は、このランプ部２８が発光することによって、撮像部２１が録画中であることを周知させるようになっている。
【００２６】
　
記憶部２３は、
撮像部２１によって撮像した撮像データ
にマイク部２２によって取得した音データを合わせて保存する
【００２７】
　無線通信部２４は、近距離無線通信の規格であるＢｌｕｅｔｏｏｔｈ（登録商標）、あるいは、無線ＬＡＮ、あるいは、Ｂｌｕｅｔｏｏｔｈ（登録商標）　Ｌｏｗ　Ｅｎｅｒｇｙ等によって実現する。
【００２８】
　
制御部２５は、
回路基板によって実現する
【００２９】
　カバー部２６は、撮像部２１のレンズ２１ａに対向する位置、および、マイク部２２に対向する位置に開口２６ａ、２６ｂを形成し、その外表面にはレンズ２１ａを保護するレンズカバー２７が貼付されている。
【００３０】
　
一対の被保持部１３は、直管状着脱自在部１１の両端面から外方に突出したピン状部分であり
　なお、
各被保持部１３は、
直流電源から電力を供給するための端子部分として機能する
【００３１】
　一対の保持部３０は、上述したように直管状着脱自在部１１を保持する部分である。
　この保持部３０は、直管状の蛍光管の給電ソケットを代用することで、ＬＥＤ照明装置１０の設置コストを削減することができる。
　また、保持部３０は、直流電源の給電ソケットとして用いてもよいし、給電機能を有さない直管状着脱自在部１１の単なる保持部材として用いるだけでもよい。
【００３２】
　このようなＬＥＤ照明装置１０は、直管状着脱自在部１１の両端部を一対の保持部３０によって保持することによって、ＬＥＤを光源とした照明装置として機能するとともに、ＬＥＤと同じ直流電源を利用して付加機能部２０の撮像部２１等の駆動系を駆動することができるようになっている。」
・図１〜４は以下のとおりである。
イ　認定事項
・段落【００１７】の「
電車内に設置されている直管状蛍光管を有する蛍光灯に置き換えてＬＥＤを光源とするＬＥＤ照明装置１０
　そして、段落【００１９】の「
ＬＥＤ照明装置１０は、蛍光管の標準規格に対応した直管状部分であり、かつ、保持部３０に着脱自在に設けた直管状着脱自在部１１と、直管状着脱自在部１１の両端を保持する一対の保持部３０
・段落【００３０】の「なお、
各被保持部１３は、
直流電源から電力を供給するための端子部分として機能する
直流電源等を収容するフード部１４
一対の被保持部１３は、直管状着脱自在部１１の両端面から外方に突出したピン状部分であり
　そうすると、「各被保持部１３は、フード部１４に収容された直流電源から電力を供給するための端子部分として機能する２本のピン状部分からな」ることが認定できる。
・図２、４の記載と照明器具の技術常識から、「直管状着脱自在部１１の一端側」に設けられた「付加機能部２０」の「カバー部２６」は、口金といえるものである。また、同様に「直管状着脱自在部１１」の他端側にも口金といえるものを有していることが明らかである。そして、段落【００３０】の「
一対の被保持部１３は、直管状着脱自在部１１の両端面から外方に突出したピン状部分であり
　そうすると、「直管状着脱自在部１１の一端側に設けられた付加機能部２０のカバー部２６は、被保持部１３が外方に突出した口金であり、直管状着脱自在部１１の他端側に、被保持部１３が外方に突出した口金を設け」ることが認定できる。
ウ　甲１発明
　上記ア、イより、甲１には、次の発明（以下「甲１発明」という。）が記載されているものと認める。
 「電車内の天井に設置されている直管状蛍光管を有する蛍光灯に置き換えてＬＥＤを光源とするＬＥＤ照明装置１０の、蛍光管の標準規格に対応した直管状部分であり、かつ、直管状着脱自在部１１の両端を保持する一対の保持部３０に着脱自在に設けた直管状着脱自在部１１であって、
　直管状着脱自在部１１は、光源となるＬＥＤを光透過部分を含む直管状カバー１２ａの内部に設けた直管状照明部１２と、直管状着脱自在部１１の一端側に直管状照明部１２と一体的に設けた付加機能部２０と、一対の保持部３０によって保持される部分となる一対の被保持部１３と、を有し、
　付加機能部２０は、撮像データを取得する撮像部２１と、音声データを取得するマイク部２２と、ランプ部２８と、記憶部２３と、携帯端末４０との無線通信を可能にする無線通信部２４と、ＬＥＤ照明装置１０の各駆動部を制御する制御部２５と、撮像部２１、記憶部２３、無線通信部２４、および、制御部２５を内部に収容する直管状のカバー部２６と、を有し、
　撮像部２１は、カメラ機能をなす部分であり、レンズ２１ａと、イメージセンサ２１ｂと、を有し、
　制御部２５は、回路基板によって実現するものであり、
　各被保持部１３は、フード部１４に収容された直流電源から電力を供給するための端子部分として機能する２本のピン状部分からなり、
　直管状着脱自在部１１の一端側に設けられた付加機能部２０のカバー部２６は、被保持部１３が外方に突出した口金であり、直管状着脱自在部１１の他端側に、被保持部１３が外方に突出した口金を設け、
　記憶部２３は、撮像部２１によって撮像した撮像データにマイク部２２によって取得した音データを合わせて保存する、
　直管状着脱自在部１１。」
（２）甲２
ア　記載事項
　甲２には、図面とともに次の事項が記載されている。
・「【００１４】
　　　一実施例において、ランプソケットは、電源入力端子を備えた第１のソケットと、放熱胴体で第１のソケットの反対側に位置する第２のソケットを備え、第２のソケットは電源入力端子と同一な形態のダミー端子を備え、バッテリーモジュールは第２のソケットと一体に結合する。」
・「【００５０】
　　　第１のソケット（１４１）は、ソケットの内部から外部に突出される電源入力端子（１４３）と、放熱胴体（１１）との結合のために外部からボルト（またはネジ）が挿入される第１のホール（１４５）を備える。そして、第２のソケット（１４２）は、ソケットの内部から外部に突出されるダミー端子（１４４）と、放熱胴体（１１）との結合のために、外部からボルト（またはネジ）が挿入される第２のホール（１４６）を備える。」
・「【００７９】
　　　図５を参照すると、本実施例による無停電直管型ＬＥＤランプの駆動回路は、電源回路（１６０）、ＬＥＤ駆動回路（１６６）及び充放電制御回路（１８３）を含む。電源回路（１６０）とＬＥＤ駆動回路（１６６）は第１の電源回路に対応し、充放電制御回路（１８３）は第２の電源回路に対応する。」
・「【０１０９】
　　　一方、前述した実施例の蓋固定構造以外にネジなどの締結手段を用いて開口部を覆う蓋を放熱胴体に固定することが可能であり、このような多様な固定構造は、前述した第２の電源回路で第１の電源回路の入力電圧を感知してバッテリー電源をＬＥＤ光源モジュールに供給する構成と、後述するバッテリーパックの固定構造とともに本発明の実施例の変形例に適切に採用され得る。」
・図１は以下のとおりである。
（３）甲３
ア　記載事項
　甲３には、次の事項が記載されている。
・「【００９１】
　また、
ガラス管６の表面にガラス片の飛散を防止する飛散防止膜を設けてもよい
　実施の形態１〜５において、Ｇ１３タイプの口金で説明したが、口金はＧ１３に限るのではなく、ＧＸ１６タイプのもの、その他のタイプのものであっても構わない。」
（４）甲４
ア　記載事項
　甲４には、図面とともに次の事項が記載されている。
・「【０００２】
　従来から、店舗や住宅、車など様々な用途で、人の動きや周辺の状態を把握する為に、カメラを使用した数多くのシステムが提案されている。そのようなシステムにおいて、シーンに応じてカメラ映像内の特定の領域を詳細に監視したいという要求がある。特に、バスや電車といった旅客車両においては、ホームにおける事故を防止し安全に運航したい、あるいはホームにおける乗降客の混雑度合いを検知したい、といった様々な理由によりホームや乗降口付近の監視を可能とするシステムが求められている。」
・「【０００６】
　本発明は上記の点に鑑みてなされたものであり、広い範囲に対して視認性のよい撮影画像を得ることができる画像処理装置、及び画像処理方法に関する。」
・「【００１９】
　・・・広角カメラ１０６の取り付け角度は、光軸方向が旅客車両１０８の側面（広角カメラ１０６が取り付けられている面）に対して鋭角となる。また、この図に示すように、広角カメラ１０６は旅客車両１０８の乗降口１１０の上部、もしくはより高い位置に設置される。このように広角カメラ１０６を設置することにより、乗降口１０９、１１０、１１１付近に加え、視認できることが望ましいホーム領域に関しても広く画像内に収めることが可能となる。・・・」
・「【００２０】
　・・・
広角カメラ１０６は、
上下左右方向にそれぞれ約１７０度の広い画角を持つものとする
・図２、３は以下のとおりである。
（５）甲５
ア　記載事項
　甲５には、次の事項が記載されている。
・「【請求項１】
　鉄道車両に配置されるレンズユニットとメインユニットとを備え、
　前記レンズユニットは、レンズと、撮像素子とを備え、
　前記メインユニットは、記録部と、処理部とを備え、
　前記レンズユニットは、撮影方向を鉄道車両の車内側へ向けて配置され、
　前記処理部は、前記レンズユニットで撮影された録画画像を前記記録部に記録させ、
　前記記録部は、前記メインユニットと着脱可能な記憶媒体を用いることを特徴とする鉄道車両用防犯カメラシステム。」
・「【請求項１０】
　前記
無線通信部は、Ｗｉ−Ｆｉの規格による通信が適用される
【請求項１１】
　
着脱可能な前記記憶媒体は、ＳＤメモリカード、ＳＤＨＣメモリカード、ＳＤＸＣメモリカードのいずれかを用いる
・「【０００１】
　本考案は、鉄道車両用防犯カメラシステムに関し、特に、
鉄道車両内を監視する鉄道車両用防犯カメラシステム
・「【００１５】
　・・・また、
レンズユニット１０の画角は、例えば、水平画角で、±５０°（１００°）以上、さらには、±６２．５°（１２５°）以上、さらには、±６４°（１２８°）以上、さらには、±６５°（１３０°）を適用することができ、垂直画角で、±３０°（６０°）以上、さらには、±３５°（７０°）以上、さらには、±３７．５°（７５°）を適用する
【００１６】
　レンズユニット１０の設置位置は、鉄道車両における車内（乗客が乗車する空間）を撮影されるためのふさわしい場所に設置される。例えば、
ドアの上側（カモイ部）付近や、車両の前後方向の側面（ツマ部）等に車内側に向けて設置される
・「【００１８】
　処理部２２は、レンズユニット１０で撮影するための制御を行うことができる。具体的には、撮影する際に撮像素子１２で取得する画像の画素数の指定や時間当たりのフレーム数の指定等をする。また、処理部２２は、レンズユニット１０で撮影された画像情報を映像デコーダ２１を介して入力して、記録部２３に記録させる処理を行うことができる。さらに、処理部２２は、記録部２３に記録させた画像を無線通信部２６や有線通信用ポート２７から送信させる制御を行うことができる。さらに、処理部２２は、記録部２３に記録した録画画像を自己診断機能も有していてもよい。例えば、黒の画面だけになる等の場合は撮影が適切に行われていないと判断する等である。処理部２２は、制御や演算等のために必要なＣＰＵ等により構成される。」
・「【００３９】
　図６は、本考案の鉄道車両用防犯カメラシステムにおけるレンズユニットの一例を示す図１におけるＡＡ断面図である。・・・また、取付孔５８は雌ねじを備える構成とすることができる。」
・「【００４６】
　インジケータランプ３６は、図１で示したインジケータランプ２８である。これは、複数設けることも可能である。図７、８に示すように２つのランプを設けて、１つは電源投入時に点灯する等して電源投入状況を知らせるランプ、もう１つは異常発生時に点灯又は色替えするなどして異常発生の有無を知らせるランプとしてもよい。」
（６）甲６
ア　記載事項
　甲６には、次の事項が記載されている。
・「【０００１】
　本発明は、
鉄道車両側方の車外及び車内に位置する乗客等を監視する鉄道車両の状況監視装置
・「【００２５】
　
カメラ１０３ａ，１０４ａ，１０５ａ，１０６ａを、横方向（鉄道車両１０１の長手方向）の画角が１８０度前後の広角カメラとする
・「【００３７】
　・・・
カメラ１０３ａの光軸方向を鉄道車両１０１の側面に沿う鉛直方向に向けるとともに、カメラ１０３ａの設置俯角を大きくする
・「【００４０】
　・・・カメラ１０３aの撮像範囲は、乗降口２０２の車外側のプラットホーム２００上面の撮像範囲３０５と、乗降口２０２の車内側の撮像範囲３０６であり、車外のプラットホーム２００上に位置する乗客等と車内の乗客等の両方の撮像を同時に得ることができる。」
２　対比・判断
（１）本件発明１について
ア　対比
　本件発明１と甲１発明とを対比する。
（ア）後者の「電車内の天井」は前者の「対象旅客室の天井」に相当し、以下同様に、「ＬＥＤ」は「ＬＥＤ発光部」に、「直流電源」は「電源部」に、「回路基板によって実現する」「制御部２５」は「制御回路」に、「撮像部２１」は「撮像部」に、「無線通信部２４」は「無線通信部」に、「撮像部２１、記憶部２３、無線通信部２４、および、制御部２５」からなるものは「制御ユニット」に、「撮像部２１」の「レンズ２１ａと、イメージセンサ２１ｂと」からなるものは「カメラ」に、それぞれ相当する。
　また、後者の「直管状カバー１２ａ」と、前者の「ガラス直管」とは、「直管」であることで共通する。
　そして、後者の「記憶部２３」と、前者の「撮像データを読み書き可能なリムーバブルメデイア用のリーダー・ライター部を有するリムーバブルメデイア用スロット、および、該リムーバブルメディア用スロットに装着されたリムーバブルメデイアが設けられたもの」とは、「記憶手段」であることで共通する。
（イ）後者の「直管状着脱自在部１１」は、「電車内」に設置されるものであり、「ＬＥＤ」と、「撮像部２１」を有する「付加機能部２０」とを有し、さらに全体としてシステムを構成するといえるから、前者の「客室用ＬＥＤ管型カメラシステム」に相当する。
（ウ）甲１の図２、４の記載からみて、後者の「光透過部分を含む直管状カバー１２ａ」の長さ方向に延びる中心の軸が、前者の「仮想水平軸心」に相当するといえる。そして、後者の「直管状カバー１２ａ」は、筒状壁といえるものを有していることは明らかである。そして、甲１の図１〜３の記載からみて、後者の「光透過部分を含む直管状カバー１２ａ」は、電車内の天井に設置された場合に下がわとなる壁範囲が光透過部分となっていることも明らかである。
　そうすると、上記（ア）を踏まえると、後者の「電車内の天井に設置されている直管状蛍光管を有する蛍光灯に置き換えてＬＥＤを光源とするＬＥＤ照明装置１０」の「直管状着脱自在部１１」の「光透過部分を含む直管状カバー１２ａ」は、前者の「仮想水平軸心の周囲に筒状壁が設けられ」るという事項、及び、「該筒状壁の少なくとも対象旅客室の天井に設置された場合に下がわとなる壁範囲が透光性を有するものとされ」るという事項を実質的に有している。
（エ）甲１の図４の記載及び照明器具の技術常識からみて、後者の「電力を供給するための端子部分として機能する２本のピンからな」る「被保持部１３」は、後者の「電源端子」に相当し、また、上記（ウ）の仮想水平軸心と平行となっていることは明らかである。
　また、後者の「被保持部１３が外方に突出した口金であ」る「管状着脱自在部１１の一端側に設けられた付加機能部２０のカバー部２６」と、前者の「ユニットカバー」とは、その機能を鑑みると「ユニットカバー機能を有する構成」である点で共通し、さらに、前者の「電源端子が突設された口金」とは、「電源端子が突設された口金機能を有する構成」である点でも共通する。
　そして、後者の「直管状着脱自在部１１」の外殻を構成する部分は、前者の「ランプ外殻」に相当し、後者の「直管状着脱自在部１１」が「蛍光管の標準規格に対応した直管状部分であ」るということは、前者の「直管型蛍光灯の外郭形状が再現されたランプ外殻が設けられ」ることに相当する。
　そうすると、上記（ア）を踏まえると、後者の「直管状着脱自在部１１は、光源となるＬＥＤを光透過部分を含む直管状カバー１２ａの内部に設けた直管状照明部１２と、直管状着脱自在部１１の一端側に直管状照明部１２と一体的に設けた付加機能部２０と、一対の保持部３０によって保持される部分となる一対の被保持部１３と、を有し」、「各被保持部１３は、フード部１４に収容された直流電源から電力を供給するための端子部分として機能する２本のピン状部分からなり、直管状着脱自在部１１の一端側に設けられた付加機能部２０のカバー部２６は、被保持部１３が外方に突出した口金であり、直管状着脱自在部１１の他端側に、被保持部１３が外方に突出した口金を設ける」ことと、前者の「該筒状壁の外周囲が飛散防止膜で被覆されたガラス直管、および、該ガラス直管の内端に同仮想水平軸心上に連続するよう設けられたユニットカバーからなり、該ユニットカバーのガラス直管が設けられた内端とは反対がわとなる外端に設けられ、該仮想水平軸心に平行な電源端子が突設された口金と、該ガラス直管のユニットカバーが設けられた内端とは反対がわとなる外端に設けられ、該仮想水平軸心に平行なダミー端子が突設された口金とを有し、直管型蛍光灯の外郭形状が再現されたランプ外殻が設けられ」ていることとは、「直管、および、該直管の端に同仮想水平軸心上に連続するよう設けられたユニットカバー機能を有する構成、および、該仮想水平軸心に平行な電源端子が突設された口金機能を有する構成と、該直管のユニットカバー機能を有する構成が設けられた端とは反対がわとなる外端に設けられ、該仮想水平軸心に平行な端子が突設された口金とを有し、直管型蛍光灯の外郭形状が再現されたランプ外殻が設けられ」ていることにおいて共通する。
（オ）甲１の図１〜３の記載からみて、後者の「光源となるＬＥＤ」は、電車内の天井に設置された場合に、下がわを照明するように設けられていることは明らかである。また、「直管状蛍光管を有する蛍光灯に置き換えてＬＥＤを光源とするＬＥＤ照明装置」の分野の技術常識からみて、後者の「光源となるＬＥＤ」は、「直管状カバー１２ａ」の略全長に渡って内装されていることは明らかである。
　そうすると、上記（ア）を踏まえると、後者の「光源となるＬＥＤを光透過部分を含む直管状カバー１２ａの内部に設けた直管状照明部１２」と、前者の「該ガラス直管の略全長に渡り、対象旅客室に設置された場合に、下がわを照明するようＬＥＤ発光部が下向き内装され」ることとは、「該直管の略全長に渡り、対象旅客室に設置された場合に、下がわを照明するようＬＥＤ発光部が下向き内装され」ていることにおいて共通する。
（カ）上記（ア）、（エ）を踏まえると、後者の「付加機能部２０は、撮像データを取得する撮像部２１と、音声データを取得するマイク部２２と、ランプ部２８と、記憶部２３と、携帯端末４０との無線通信を可能にする無線通信部２４と、ＬＥＤ照明装置１０の各駆動部を制御する制御部２５と、撮像部２１、記憶部２３、無線通信部２４、および、制御部２５を内部に収容する直管状のカバー部２６と、を有し」ていることと、後者の「該ユニットカバーには、電源部、制御回路、撮像部、無線通信部を有した制御ユニットが内装され」ていることとは、「該ユニットカバー機能を有する構成には、制御回路、撮像部、無線通信部を有した制御ユニットが内装され」ていることにおいて共通する。
（キ）後者の「撮像部２１は、カメラ機能をなす部分であり、レンズ２１ａと、イメージセンサ２１ｂと、を有し」ていることと、前者の「該撮像部は、該仮想水平軸心に平行な方向の水平画角が１４０°ないし１８０°、該仮想水平軸心に直交する方向の垂直画角が９０°ないし１８０°の広角レンズを有し、撮像の光軸が、該仮想水平軸心を通る垂線に対して、４０°ないし４５°の傾き角度をもつよう該仮想水平軸心回りの何れか一方に傾けられたカメラが設けられ」ていることとは、「該撮像部は、カメラが設けられ」ていることにおいて共通する。
（ク）後者の「記憶部２３」は「制御部２５」により制御されるものであるから、上記（ア）を踏まえると、「記憶部２３は、撮像部２１によって撮像した撮像データにマイク部２２によって取得した音データを合わせて保存する」ことと、前者の「該制御回路には、撮像データを読み書き可能なリムーバブルメデイア用のリーダー・ライター部を有するリムーバブルメデイア用スロット、および、該リムーバブルメディア用スロットに装着されたリムーバブルメデイアが設けられたものとしてなる」こととは、「該制御回路には、撮像データを保存する記憶手段が設けられたものとしてなる」ことにおいて共通する。
（ケ）以上のことより、本件発明１と甲１発明との一致点、相違点は次のとおりと認める。
〔一致点Ａ〕
 「仮想水平軸心の周囲に筒状壁が設けられ、該筒状壁の少なくとも対象旅客室の天井に設置された場合に下がわとなる壁範囲が透光性を有するものとされ、直管、および、該直管の端に同仮想水平軸心上に連続するよう設けられたユニットカバー機能を有する構成、および、該仮想水平軸心に平行な電源端子が突設された口金機能を有する構成と、該直管のユニットカバー機能を有する構成が設けられた端とは反対がわとなる外端に設けられ、該仮想水平軸心に平行な端子が突設された口金とを有し、直管型蛍光灯の外郭形状が再現されたランプ外殻が設けられ、該直管の略全長に渡り、対象旅客室に設置された場合に、下がわを照明するようＬＥＤ発光部が下向き内装され、該ユニットカバー機能を有する構成には、制御回路、撮像部、無線通信部を有した制御ユニットが内装され、該撮影部は、カメラが設けられ、該制御回路には、撮像データを保存する記憶手段が設けられたものとしてなる客室ＬＥＤ管型カメラシステム。」
〔相違点１Ａ〕
 「直管」に関し、本件発明１は、「該筒状壁の外周囲が飛散防止膜で被覆されたガラス直管」であるのに対し、甲１発明は、「直管状カバー１２ａ」（直管）自体の材質の特定がなく、さらに飛散防止膜の特定もない点。
〔相違点２Ａ〕
 「該直管の端に同仮想水平軸心上に連続するよう設けられたユニットカバー機能を有する構成、および、該仮想水平軸心に平行な電源端子が突設された口金機能を有する構成」及び「ランプ外殻」に関し、本件発明１は、「ユニットカバー」がガラス直管の「内端」に設けられたものであり、「口金」が「該ユニットカバーのガラス直管が設けられた内端とは反対がわとなる外端に設けられ」ており、「ランプ外殻」が「ガラス直管」及び「ユニットカバーからな」り、２つの「口金」とを有するのに対し、甲１発明は、「直管状着脱自在部１１の一端側に設けられた付加機能部２０のカバー部２６は、被保持部１３が外方に突出した口金であ」るもの、すなわち、ユニットカバー機能を有する構成と口金機能を有する構成が、「カバー部２６」という同一部材であって、本件発明１のような配置関係になく、「ランプ外殻」がそのような「カバー部２６」を含む「直管状着脱自在部１１」の外殻からなるものである点。
〔相違点３Ａ〕
 「該直管のユニットカバー機能を有する構成が設けられた端とは反対がわとなる外端に設けられ、該仮想水平軸心に平行な端子が突設された口金」に関し、本件発明１は、「ダミー端子」であるのに対し、甲１発明は、「電力を供給するための端子部分として機能する２本のピン状部分からな」る「被保持部１３」であり、ダミー端子ではない点。
〔相違点４Ａ〕
 「電源部」に関し、本件発明１は、「ユニットカバー」に「内装され」た「制御ユニット」の一部を構成するものであるのに対し、甲１発明は、「直流電源」（電源部）が「フード部１４に収容された」、すなわち、「カバー部２６」（ユニットカバー機能を有する構成）の外部に配置されている点。
〔相違点５Ａ〕
 「カメラ」に関し、本件発明１は、「該仮想水平軸心に平行な方向の水平画角が１４０°ないし１８０°、該仮想水平軸心に直交する方向の垂直画角が９０°ないし１８０°の広角レンズを有し、撮像の光軸が、該仮想水平軸心を通る垂線に対して、４０°ないし４５°の傾き角度をもつよう該仮想水平軸心回りの何れか一方に傾けられた」ものであるのに対し、甲１発明の「レンズ２１ａと、イメージセンサ２１ｂと」からなるもの（カメラ）は、そのような特定がない点。
〔相違点６Ａ〕
 「撮像データを保存する記憶手段」に関し、本件発明１は、「撮像データを読み書き可能なリムーバブルメデイア用のリーダー・ライター部を有するリムーバブルメデイア用スロット、および、該リムーバブルメディア用スロットに装着されたリムーバブルメデイア」であるのに対し、甲１発明の「記憶部２３」（記憶手段）は、そのような特定がない点。
イ　判断
　事案に鑑み、上記相違点２Ａについて検討する。
　上記１（２）〜（６）で示したとおり、甲２〜６には、上記相違点２Ａに係る本件発明１の「直管」と「ユニットカバー」と「口金」の配置関係の開示ないし示唆はない。
　したがって、甲１発明に、甲２〜６に記載された技術的事項を適用しても、上記相違点２Ａに係る本件発明１の事項を有するものには至らない。
　そして、甲１発明において、上記相違点２Ａに係る本件発明１の事項を有するものに変更することを容易想到とする証拠も見当たらない。
　よって、他の相違点について検討するまでもなく、本件発明１は、甲１発明及び甲２〜６に記載された技術的事項に基いて、当業者が容易に発明をすることができたものであるということはできない。
（２）本件発明２について
ア　対比
　本件発明２と甲１発明とを対比すると、上記（１）アと同様のことがいえる。
　そうすると、本件発明２と甲１発明との一致点、相違点は次のとおりと認める。
〔一致点Ｂ〕
 「仮想水平軸心の周囲に筒状壁が設けられ、該筒状壁の少なくとも対象旅客室の天井に設置された場合に下がわとなる壁範囲が透光性を有するものとされ、直管、および、該直管の端に同仮想水平軸心上に連続するよう設けられたユニットカバー機能を有する構成、および、該仮想水平軸心に平行な電源端子が突設された口金機能を有する構成と、該直管のユニットカバー機能を有する構成が設けられた端とは反対がわとなる外端に設けられ、該仮想水平軸心に平行な端子が突設された口金とを有し、直管型蛍光灯の外郭形状が再現されたランプ外殻が設けられ、該直管の略全長に渡り、対象旅客室に設置された場合に、下がわを照明するようＬＥＤ発光部が下向き内装され、該ユニットカバー機能を有する構成には、制御回路、撮像部、無線通信部を有した制御ユニットが内装され、該撮影部は、カメラが設けられ、該制御回路には、撮像データを保存する記憶手段が設けられたものとしてなる客室ＬＥＤ管型カメラシステム。」
〔相違点１Ｂ〕
 「直管」に関し、本件発明２は、「該筒状壁の外周囲が飛散防止膜で被覆されたガラス直管」であるのに対し、甲１発明は、「直管状カバー１２ａ」（直管）自体の材質の特定がなく、さらに飛散防止膜の特定もない点。
〔相違点２Ｂ〕
 「該直管の端に同仮想水平軸心上に連続するよう設けられたユニットカバー、および、該仮想水平軸心に平行な電源端子が突設された口金」及び「ランプ外殻」に関し、本件発明２は、「ユニットカバー」がガラス直管の「内端」に設けられたものであり、「口金」が「該ユニットカバーのガラス直管が設けられた内端とは反対がわとなる外端に設けられ」ており、「ランプ外殻」が「ガラス直管」及び「ユニットカバーからな」り、２つの「口金」とを有するのに対し、甲１発明は、「直管状着脱自在部１１の一端側に設けられた付加機能部２０のカバー部２６は、被保持部１３が外方に突出した口金であ」るもの、すなわち、ユニットカバー機能を有する構成と口金機能を有する構成が、「カバー部２６」という同一部材であって、本件発明２のような配置関係になく、「ランプ外殻」がそのような「カバー部２６」を含む「直管状着脱自在部１１」の外殻からなるものである点。
〔相違点３Ｂ〕
 「該直管のユニットカバー機能を有する構成が設けられた端とは反対がわとなる外端に設けられ、該仮想水平軸心に平行な端子が突設された口金」に関し、本件発明２は、「ダミー端子」であるのに対し、甲１発明は、「電力を供給するための端子部分として機能する２本のピン状部分からな」る「被保持部１３」であり、ダミー端子ではない点。
〔相違点４Ｂ〕
 「電源部」に関し、本件発明２は、「ユニットカバー」に「内装され」た「制御ユニット」の一部を構成するものであるのに対し、甲１発明は、「直流電源」（電源部）が「フード部１４に収容された」、すなわち、「カバー部２６」（ユニットカバー機能を有する構成）の外部に配置されている点。
〔相違点５Ｂ〕
 「カメラ」に関し、本件発明２は、「該仮想水平軸心に平行な方向の水平画角が１４０°ないし１８０°、該仮想水平軸心に直交する方向の垂直画角が９０°ないし１８０°の広角レンズを有し、撮像の光軸が、該仮想水平軸心を通る垂線に対して、４０°ないし４５°の傾き角度をもつよう該仮想水平軸心回りの何れか一方に傾けられた」ものであるのに対し、甲１発明の「レンズ２１ａと、イメージセンサ２１ｂと」からなるもの（カメラ）は、そのような特定がない点。
〔相違点６Ｂ〕
 「撮像データを保存する記憶手段」に関し、本件発明２は、「撮像データを読み書き可能なリムーバブルメデイア用のリーダー・ライター部を有するリムーバブルメデイア用スロット、および、該リムーバブルメディア用スロットに装着されたリムーバブルメデイア」であるのに対し、甲１発明の「記憶部２３」（記憶手段）は、そのような特定がない点。
〔相違点７Ｂ〕
　本件発明２は、「対象旅客室内の天井の対象旅客室幅寸法間の中央から対象旅客室幅寸法方向の何れか一方端寄りに設置され、対象車両進行方向の前後に、一対のソケット部が対峙された直管用照明器具に対して装着された場合に、該撮像部の撮像の光軸の向きが、鉛直下方の床面から、対象旅客室幅寸法間の中央の床面、および、該直管用照明器具が設置されたのとは反対がわとなる対象旅客室幅寸法方向の何れか他方の座席を含み、対象旅客室幅寸法方向の何れか他方となる対象旅客室内側壁の網棚上に至る範囲を含む対象旅客室幅寸法方向の撮像範囲を確保するよう設定されてなるものとされた」のに対し、甲１発明は、そのような特定がない点。
イ　判断
　事案に鑑み、上記相違点２Ｂについて検討する。
　上記相違点２Ｂは、上記相違点２Ａと同様内容であり、その判断についても上記（１）イで説示したとおりである。
　よって、他の相違点について検討するまでもなく、本件発明２は、甲１発明及び甲２〜６に記載された技術的事項に基いて、当業者が容易に発明をすることができたものであるということはできない。
（３）本件発明３について
ア　対比
　本件発明３と甲１発明とを対比すると、上記（１）アと同様のことがいえ、さらに以下のことがいえる。
（ア）甲１の図２〜４の記載及び直管状蛍光管を有する蛍光灯に置き換えてＬＥＤを光源とするＬＥＤ照明装置の技術常識からみて、後者の「電力を供給するための端子部分として機能する２本のピン状部分からな」る「被保持部１３」も、仮想水平軸心を中心とする仮想円と、同仮想水平軸心に直交する仮想径線との２つの交点から、同仮想水平軸心に平行するよう２本のピン状部分が外向きに突出しているという事項を実質的に有していることは明らかである。
　そうすると、上記（１）ア（ア）、（エ）も踏まえると、後者の「直管状着脱自在部１１は、光源となるＬＥＤを光透過部分を含む直管状カバー１２ａの内部に設けた直管状照明部１２と、直管状着脱自在部１１の一端側に直管状照明部１２と一体的に設けた付加機能部２０と、一対の保持部３０によって保持される部分となる一対の被保持部１３と、を有し」、「各被保持部１３は、フード部１４に収容された直流電源から電力を供給するための端子部分として機能する２本のピン状部分からなり、直管状着脱自在部１１の一端側に設けられた付加機能部２０のカバー部２６は、被保持部１３が外方に突出した口金であり、直管状着脱自在部１１の他端側に、被保持部１３が外方に突出した口金を設ける」ことと、前者の「該筒状壁の外周囲が飛散防止膜で被覆されたガラス直管、および、該ガラス直管の内端に同仮想水平軸心上に連続するよう設けられたユニットカバーからなり、該ユニットカバーのガラス直管が設けられた内端とは反対がわとなる外端に設けられ、該仮想水平軸心を中心とする仮想円と、同仮想水平軸心に直交する仮想径線との２つの交点から、同仮想水平軸心に平行するよう二本の電源端子が外向きに突設された口金と、該ガラス直管のユニットカバーが設けられた内端とは反対がわとなる外端に設けられ、該仮想水平軸心に一致するよう外向きに一本のダミー端子が突設された口金とを有し」ていることとは、「直管、および、該直管の端に同仮想水平軸心上に連続するよう設けられたユニットカバー機能を有する構成、および、該仮想水平軸心を中心とする仮想円と、同仮想水平軸心に直交する仮想径線との２つの交点から、同仮想水平軸心に平行するよう二本の電源端子が外向きに突設された口金機能を有する構成と、該直管のユニットカバー機能を有する構成が設けられた端とは反対がわとなる外端に設けられ、外向きに端子が突設された口金とを有し」ていることにおいて共通する。
（イ）上記（ア）に加え、図４における「被保持部１３」の「２本のピン状部分」と「開口２６ａ」の位置関係を参酌し、かつ、後者の「直管状着脱自在部１１」が「電車内の天井に設置され」るものであることを鑑みると、後者の「光源となるＬＥＤ」は、仮想水平軸心および「電力を供給するための端子部分として機能する２本のピン状部分からな」る「被保持部１３」を結ぶ仮想径線が、水平面に一致された場合に、下がわを照明するものであることも明らかである。
　そうすると、上記（１）ア（オ）も踏まえると、後者の「光源となるＬＥＤを光透過部分を含む直管状カバー１２ａの内部に設けた直管状照明部１２」と、前者の「該ガラス直管の略全長に渡り、該仮想水平軸心および前記二本の電源端子を結ぶ仮想径線が、水平面に一致された場合に、下がわを照明するようＬＥＤ発光部が下向き内装され」ることとは、「該直管の略全長に渡り、該仮想水平軸心および前記二本の電源端子を結ぶ仮想径線が、水平面に一致された場合に、下がわを照明するようＬＥＤ発光部が下向き内装され」ていることにおいて共通する。
（ウ）以上のことより、本件発明３と甲１発明との一致点、相違点は次のとおりと認める。
〔一致点Ｃ〕
 「仮想水平軸心の周囲に筒状壁が設けられ、該筒状壁の少なくとも対象旅客室の天井に設置された場合に下がわとなる壁範囲が透光性を有するものとされ、直管、および、該直管の端に同仮想水平軸心上に連続するよう設けられたユニットカバー機能を有する構成、および、該仮想水平軸心を中心とする仮想円と、同仮想水平軸心に直交する仮想径線との２つの交点から、同仮想水平軸心に平行するよう二本の電源端子が外向きに突設された口金機能を有する構成と、該直管のユニットカバー機能を有する構成が設けられた端とは反対がわとなる外端に設けられ、外向きに端子が突設された口金とを有し、直管型蛍光灯の外郭形状が再現されたランプ外殻が設けられ、該直管の略全長に渡り、対象旅客室に設置された場合に、下がわを照明するようＬＥＤ発光部が下向き内装され、該ユニットカバー機能を有する構成には、制御回路、撮像部、無線通信部を有した制御ユニットが内装され、該撮影部は、カメラが設けられ、該制御回路には、撮像データを保存する記憶手段が設けられてものとしてなる客室ＬＥＤ管型カメラシステム。」
〔相違点１Ｃ〕
 「直管」に関し、本件発明３は、「該筒状壁の外周囲が飛散防止膜で被覆されたガラス直管」であるのに対し、甲１発明は、「直管状カバー１２ａ」（直管）自体の材質の特定がなく、さらに飛散防止膜の特定もない点。
〔相違点２Ｃ〕
 「該直管の端に同仮想水平軸心上に連続するよう設けられたユニットカバー機能を有する構成、および、該仮想水平軸心を中心とする仮想円と、同仮想水平軸心に直交する仮想径線との２つの交点から、同仮想水平軸心に平行するよう二本の電源端子が外向きに突設された口金機能を有する構成」及び「ランプ外殻」に関し、本件発明３は、「ユニットカバー」がガラス直管の「内端」に設けられたものであり、「口金」が「該ユニットカバーのガラス直管が設けられた内端とは反対がわとなる外端に設けられ」ており、「ランプ外殻」が「ガラス直管」及び「ユニットカバーからな」り、２つの「口金」とを有するのに対し、甲１発明は、「直管状着脱自在部１１の一端側に設けられた付加機能部２０のカバー部２６は、被保持部１３が外方に突出した口金であ」るもの、すなわち、ユニットカバー機能を有する構成と口金機能を有する構成が、「カバー部２６」という同一部材であって、本件発明３のような配置関係になく、「ランプ外殻」がそのような「カバー部２６」を含む「直管状着脱自在部１１」の外殻からなるものである点。
〔相違点３Ｃ〕
 「該直管のユニットカバー機能を有する構成が設けられた端とは反対がわとなる外端に設けられ、該仮想水平軸心に平行な端子が突設された口金」に関し、本件発明３は、「該仮想水平軸心に一致するよう」にした「一本のダミー端子」であるのに対し、甲１発明は、「電力を供給するための端子部分として機能する２本のピン状部分からな」る「被保持部１３」であり、そのようなダミー端子ではない点。
〔相違点４Ｃ〕
 「電源部」に関し、本件発明３は、「ユニットカバー」に「内装され」た「制御ユニット」の一部を構成するものであるのに対し、甲１発明は、「直流電源」（電源部）が「フード部１４に収容された」、すなわち、「カバー部２６」（ユニットカバー機能を有する構成）の外部に配置されている点。
〔相違点５Ｃ〕
 「カメラ」に関し、本件発明３は、「該仮想水平軸心に平行な方向の水平画角が１４０°ないし１８０°、該仮想水平軸心に直交する方向の垂直画角が９０°ないし１８０°の広角レンズを有し、撮像の光軸が、該仮想水平軸心および前記二本の電源端子を結ぶ仮想径線が、水平面に一致された場合に、該仮想水平軸心を通る垂線に対して、４０°ないし４５°の傾き角度をもつよう該仮想水平軸心回りの何れか一方に傾けられた」ものであるのに対し、甲１発明の「レンズ２１ａと、イメージセンサ２１ｂと」からなるもの（カメラ）は、そのような特定がない点。
〔相違点６Ｃ〕
 「撮像データを保存する記憶手段」に関し、本件発明３は、「撮像データを読み書き可能なリムーバブルメデイア用のリーダー・ライター部を有するリムーバブルメデイア用スロット、および、該リムーバブルメディア用スロットに装着されたリムーバブルメデイア」であるのに対し、甲１発明の「記憶部２３」（記憶手段）は、そのような特定がない点。
イ　判断
　事案に鑑み、上記相違点２Ｃについて検討する。
　上記相違点２Ｃは、上記相違点２Ａと同様内容であり、その判断についても上記（１）イで説示したとおりである。
　よって、他の相違点について検討するまでもなく、本件発明３は、甲１発明及び甲２〜６に記載された技術的事項に基いて、当業者が容易に発明をすることができたものであるということはできない。
（４）本件発明４〜１２について
　本件発明４〜１２は、本件発明１〜３の発明特定事項を全て含み、請求項４〜１２において特定した事項をさらに付加することにより限定をしたものであるから、上記（１）〜（３）で説示したのと同様の理由により、甲１発明及び甲２〜６に記載された技術的事項に基いて、当業者が容易に発明をすることができたものであるということはできない。
第５　むすび
　以上のとおりであるから、本件請求項１〜１２に係る特許は、特許異議申立書に記載した特許異議申立理由及び証拠によっては、取り消すことができない。
　また、他に本件請求項１〜１２に係る特許を取り消すべき理由を発見しない。
　よって、結論のとおり決定する。
【異議決定日】
令和３年１０月２８日（２０２１．１０．２８）